(57)【要約】【課題】  端子台装置の端子締結具と周辺部材との間の絶縁性の向上が図られた端子台装置およびそれを含む電子機器を提供する。【解決手段】  本発明に係る電子機器１０は、導電性の筐体２０と、筐体２０上に配置された電子回路３０と、筐体２０上に配置され、電子回路３０の配線に接続された第１の端子６４と、外部出力用の配線に接続された第２の端子６６とが固定される絶縁体５０と、第１の端子６４と第２の端子６６とがまとめて締結されて互いに導通されるように絶縁体５０に螺設されたボルト６２とを有する端子台装置４０とを備える電子機器であって、絶縁体５０が、ボルト６２の先端部６２ａの周囲を囲むようにＺ方向に沿って延びる筒部５２を有し、該筒部５２が、Ｘ方向においてボルト６２の先端部６２ａと近接するように配置された筐体２０の隆起部２４からボルト６２の先端部６２ａを絶縁する。【選択図】  図３
2012089414.tif 000002
【特許請求の範囲】
【請求項１】
第１の配線に接続された第１の端子と、第２の配線に接続された第２の端子とが固定される絶縁体と、
前記第１の端子と前記第２の端子とがまとめて締結されて互いに導通されるように、前記絶縁体に螺設されたボルトと
を有し、
前記絶縁体が、前記ボルトの先端部の周囲を囲むように前記ボルトの延在方向に沿って延びる筒部を有し、該筒部が、前記ボルトの延在方向に直交する方向において前記ボルトの先端部と近接するように配置される導体から前記ボルトの先端部を絶縁する、端子台装置。
【請求項２】
前記絶縁体が、前記筒部の前記導体側に設けられるとともに前記ボルトの延在方向に沿って延びる溝部をさらに有する、請求項１記載の端子台装置。
【請求項３】
前記絶縁体が、前記溝部内に設けられるとともに前記ボルトの延在方向に沿って延びる壁部をさらに有する、請求項２記載の端子台装置。
【請求項４】
導電性の筐体と、
前記筐体上に配置された電子回路と、
前記筐体上に配置され、前記電子回路の配線に接続された第１の端子と、外部出力用の配線に接続された第２の端子とが固定される絶縁体と、前記第１の端子と前記第２の端子とがまとめて締結されて互いに導通されるように前記絶縁体に螺設されたボルトとを有する端子台装置と
を備える電子機器であって、
前記端子台装置の前記絶縁体が、前記ボルトの先端部の周囲を囲むように前記ボルトの延在方向に沿って延びる筒部を有し、該筒部が、前記ボルトの延在方向に直交する方向において前記ボルトの先端部と近接するように配置された前記筐体の一部分から前記ボルトの先端部を絶縁する、電子機器。
【請求項５】
第１の配線に接続された第１の端子と、第２の配線に接続された第２の端子とが固定される絶縁体と、
前記第１の端子と前記第２の端子とがまとめて締結されて互いに導通されるように、前記絶縁体に螺設されたボルトと、
前記絶縁体に埋設され、前記ボルトと螺合されるナットと
を有し、
前記絶縁体が、前記ナットの先端部から前記ボルトの延在方向に沿って延びる筒部を有し、該筒部が、前記ボルトの延在方向に直交する方向において前記ナットの先端部と近接するように配置される導体から前記ナットの先端部を絶縁する、端子台装置。
【請求項６】
導電性の筐体と、
前記筐体上に配置された電子回路と、
前記筐体上に配置され、前記電子回路の配線に接続された第１の端子と、外部出力用の配線に接続された第２の端子とが固定される絶縁体と、前記第１の端子と前記第２の端子とがまとめて締結されて互いに導通されるように前記絶縁体に螺設されたボルトと、前記絶縁体に埋設され、前記ボルトと螺合されるナットとを有する端子台装置と
を備える電子機器であって、
前記端子台装置の前記絶縁体が、前記ナットの先端部から前記ボルトの延在方向に沿って延びる筒部を有し、該筒部が、前記ボルトの延在方向に直交する方向において前記ナットの先端部と近接するように配置された前記筐体の一部分から前記ナットの先端部を絶縁する、電子機器。
【発明の詳細な説明】
【技術分野】
【０００１】
本発明は、複数の端子同士を導通させるための端子台装置およびそれを含む電子機器に関する。
【背景技術】
【０００２】
従来より、複数の端子同士を導通させるための端子台装置として、たとえば下記特許文献１に開示されているような端子台装置が知られている。この端子台装置は、隣り合う端子の、絶縁体へのボルト締結の高さ位置をずらすことで、隣り合う端子間の絶縁距離を確保する構造を採用している。
【先行技術文献】
【特許文献】
【０００３】
【特許文献１】特開平９−１４００１１号公報
【特許文献２】特開平１０−８４０７８号公報
【発明の概要】
【発明が解決しようとする課題】
【０００４】
しかしながら、前述した従来の端子台装置には、次のような課題が存在している。すなわち、端子台装置の導電性の端子締結具（たとえば、ボルトやナット）と、導電性の周辺部材（たとえば、端子台装置が取り付けられる導電性の筐体の一部分）との間の絶縁距離については、設計上の配慮に欠けていたため、端子台装置の端子締結具と周辺部材との間の絶縁性が十分に確保されていなかった。
【０００５】
本発明は、上述の課題を解決するためになされたものであり、端子台装置の端子締結具と周辺部材との間の絶縁性の向上が図られた端子台装置およびそれを含む電子機器を提供することを目的とする。
【課題を解決するための手段】
【０００６】
本発明に係る端子台装置は、第１の配線に接続された第１の端子と、第２の配線に接続された第２の端子とが固定される絶縁体と、第１の端子と第２の端子とがまとめて締結されて互いに導通されるように、絶縁体に螺設されたボルトとを有し、絶縁体が、ボルトの先端部の周囲を囲むようにボルトの延在方向に沿って延びる筒部を有し、該筒部が、ボルトの延在方向に直交する方向においてボルトの先端部と近接するように配置される導体からボルトの先端部を絶縁する。
【０００７】
この端子台装置においては、ボルトの先端部の周囲が、絶縁体の筒部によって囲まれている。そのため、ボルトの先端部とそれに近接する導体との間の絶縁距離が、筒部によって有意に延長されている。したがって、この端子台装置においては、端子締結具を構成するボルトと周辺部材である導体との間の絶縁性の向上が実現されている。
【０００８】
また、絶縁体が、筒部の導体側に設けられるとともにボルトの延在方向に沿って延びる溝部をさらに有する態様であってもよい。この場合、溝部によって、ボルトの先端部とそれに近接する導体との間の絶縁距離がさらに延長される。
【０００９】
また、絶縁体が、溝部内に設けられるとともにボルトの延在方向に沿って延びる壁部をさらに有する態様であってもよい。この場合、壁部によって、ボルトの先端部とそれに近接する導体との間の絶縁距離がさらに延長される。
【００１０】
本発明に係る電子機器は、導電性の筐体と、筐体上に配置された電子回路と、筐体上に配置され、電子回路の配線に接続された第１の端子と、外部出力用の配線に接続された第２の端子とが固定される絶縁体と、第１の端子と第２の端子とがまとめて締結されて互いに導通されるように絶縁体に螺設されたボルトとを有する端子台装置とを備える電子機器であって、端子台装置の絶縁体が、ボルトの先端部の周囲を囲むようにボルトの延在方向に沿って延びる筒部を有し、該筒部が、ボルトの延在方向に直交する方向においてボルトの先端部と近接するように配置された筐体の一部分からボルトの先端部を絶縁する。
【００１１】
この電子機器においては、端子台装置のボルトの先端部の周囲が、端子台装置の絶縁体の筒部によって囲まれている。そのため、ボルトの先端部とそれに近接する導電性の筐体の一部分との間の絶縁距離が、筒部によって有意に延長されている。したがって、この電子機器においては、端子台装置の端子締結具を構成するボルトと周辺部材である筐体の一部分との間の絶縁性の向上が実現されている。
【００１２】
本発明に係る端子台装置は、第１の配線に接続された第１の端子と、第２の配線に接続された第２の端子とが固定される絶縁体と、第１の端子と第２の端子とがまとめて締結されて互いに導通されるように、絶縁体に螺設されたボルトと、絶縁体に埋設され、ボルトと螺合されるナットとを有し、絶縁体が、ナットの先端部からボルトの延在方向に沿って延びる筒部を有し、該筒部が、ボルトの延在方向に直交する方向においてナットの先端部と近接するように配置される導体からナットの先端部を絶縁する。
【００１３】
この端子台装置においては、ナットの先端部から、絶縁体の筒部が延びている。そのため、ナットの先端部とそれに近接する導体との間の絶縁距離が、筒部によって有意に延長されている。したがって、この端子台装置においては、端子締結具を構成するナットと周辺部材である導体との間の絶縁性の向上が実現されている。
【００１４】
本発明に係る電子機器は、導電性の筐体と、筐体上に配置された電子回路と、筐体上に配置され、電子回路の配線に接続された第１の端子と、外部出力用の配線に接続された第２の端子とが固定される絶縁体と、第１の端子と第２の端子とがまとめて締結されて互いに導通されるように絶縁体に螺設されたボルトと、絶縁体に埋設され、ボルトと螺合されるナットとを有する端子台装置とを備える電子機器であって、端子台装置の絶縁体が、ナットの先端部からボルトの延在方向に沿って延びる筒部を有し、該筒部が、ボルトの延在方向に直交する方向においてナットの先端部と近接するように配置された筐体の一部分からナットの先端部を絶縁する。
【００１５】
この電子機器においては、端子台装置のナットの先端部から、絶縁体の筒部が延びている。そのため、ナットの先端部とそれに近接する導電性の筐体の一部分との間の絶縁距離が、筒部によって有意に延長されている。したがって、この電子機器においては、端子台装置の端子締結具を構成するナットと周辺部材である筐体の一部分との間の絶縁性の向上が実現されている。
【発明の効果】
【００１６】
本発明によれば、端子台装置の端子締結具と周辺部材との間の絶縁性の向上が図られた端子台装置およびそれを含む電子機器が提供される。
【図面の簡単な説明】
【００１７】
【図１】図１は、本発明の実施形態に係る電子機器の概略平面図である。
【図２】図２は、図１の電子機器の概略側面図である。
【図３】図３は、図１の電子機器の端子台装置のＩＩＩ−ＩＩＩ線断面図（Ｘ−Ｚ断面図）である。
【図４】図４は、図１の電子機器の端子台装置のＩＩＩ−ＩＩＩ線に直交する線の断面図（Ｙ−Ｚ断面図）である。
【図５】図５は、図１の電子機器の端子台装置の斜視断面図である。
【図６】図６は、ボルトの先端部と筐体の隆起部との間の絶縁距離を示した要部拡大図である。
【図７】図７は、図３とは異なる形態の端子台装置を示したＩＩＩ−ＩＩＩ線断面図（Ｘ−Ｚ断面図）である。
【図８】図８は、図３および図７とは異なる形態の端子台装置を示したＩＩＩ−ＩＩＩ線断面図（Ｘ−Ｚ断面図）である。
【発明を実施するための形態】
【００１８】
以下、本発明を実施するための形態について、添付図面を参照しつつ詳細に説明する。なお、同一又は同等の要素については同一の符号を付し、説明が重複する場合にはその説明を省略する。
【００１９】
図１および図２に示すように、本発明の実施形態に係る電子機器１０には、矩形プレート状の筐体２０上に、電子回路３０および端子台装置４０が隣接するようにして配置されている。以下、説明の便宜上、電子機器１０の長辺方向をＸ方向、短辺方向をＹ方向、高さ方向をＺ方向とする。
【００２０】
筐体２０は、導電性を有する材料（たとえば金属）で構成されている。筐体２０の搭載面（電子回路３０および端子台装置４０が搭載されている面）には、電子回路３０と端子台装置４０との境界に沿ってＹ方向に延びる隆起部２４が立設されている。
【００２１】
電子回路３０は、筐体２０上に、その四隅をネジ３２、３４、３６、３８で固定されるようにして取り付けられている。この電子回路３０上には、図示していないが、半導体素子やコイル等の電子部品が搭載されている。また、電子回路３０には、電子部品と電気的に接続されるとともに後述する端子台装置４０のボルト締結部６０、７０とも電気的に接続されるべき複数の端子６７が形成されている。
【００２２】
端子台装置４０は、筐体２０上に、Ｙ方向の両端部をネジ４２、４４で固定されるようにして取り付けられている。この端子台装置４０は、図３〜図５に示すように、第１の端子ボルト締結部６０および第２のボルト締結部７０と、該両ボルト締結部を階段状に配置するための絶縁体５０で構成されている。
【００２３】
第１のボルト締結部６０と第２のボルト締結部７０とはその構成がほぼ等しいため、以下では、下側にある第１のボルト締結部６０の構成についてのみ説明し、第２のボルト締結部７０の構成については省略する。
【００２４】
第１のボルト締結部６０は、ボルト６２と、絶縁体５０に埋設されたナット６３と、ボルト６２のヘッド部とナット６３との間に挟まれる第１の端子６４及び第２の端子６６とで構成されている。すなわち、端子台装置４０における端子締結具は、ボルト６２とナット６３とによって構成されている。
【００２５】
ボルト６２は、導電性を有する材料（たとえば金属）で構成されている。また、ボルト６２は、上方から第１の端子６４及び第２の端子６６を絶縁体５０に締結させるように、Ｚ方向に延在している。絶縁体５０に埋設されたナット６３も、導電性を有する材料（たとえば金属）で構成されており、ボルト６２と螺合して、ボルト６２と絶縁体５０とを締結させる。このようなボルト６２とナット６３とを用いることで、第１の端子６４と第２の端子６６とがまとめて絶縁体５０に締結されて、これらの端子同士が互いに導通される。
【００２６】
ここで、第１の端子６４は、上述した電子回路３０の端子６７と電気的に接続されており、その配線は絶縁体５０の中に埋設されている。一方、第２の端子６６は、図５に示すように、外部出力用の配線６５に電気的に接続されている。
【００２７】
そして、第１のボルト締結部６０の下方の筐体２０には、ボルト６２に対応する領域に貫通部２２が形成されている。この貫通部２２は、ボルト６２と筐体２０との間で、Ｚ方向における電気的短絡（ショート）を回避するために設けられている。
【００２８】
また、第１のボルト締結部６０には、筐体２０の一部分を構成する隆起部２４が、ボルト６２の延在方向に直交する方向（すなわち、Ｘ方向）においてボルト６２の先端部６２ａと近接するように配置されている。このような導電性の隆起部２４が、ボルト６２に近接して配置されているため、この隆起部２４とボルト６２の先端部６２ａとの間で電気的短絡が生じる虞がある。
【００２９】
そのため、第１のボルト締結部６０における絶縁体５０には、ボルト６２の先端部６２ａの周囲を囲むように、ボルト６２の先端部６２ａから延在方向（すなわち、Ｚ方向下向き）に延びる厚さＷの筒部５２が、一体成型されている。このように筒部５２を一体成型することにより、部品点数の増加が有意に抑えられる。筒部５２は、ボルト６２の先端部６２ａから絶縁体５０の下端面５０ａに達する位置（Ｚ方向位置）まで延びている。加えて、絶縁体５０の筒部５２の隆起部２４側には、ボルト６２の延在方向（Ｚ方向）に沿って延びる深さＨの溝部５４が設けられている。
【００３０】
この筒部５２により、図６に示すように、ボルト６２の先端部６２ａと隆起部２４との間の絶縁距離が有意に延長されている。すなわち、筒部５２が形成されていない場合には、ボルト６２の先端部６２ａと隆起部２４との間の絶縁距離（沿面距離）はＲ１となるのに対し、筒部５２が形成されている場合には、その絶縁距離はＲ２まで延長される。このような絶縁距離Ｒ２は、図６から明らかなように、筒部５２の下方へ延びる長さが長くなればなるほど延長される。ただし、樹脂製の絶縁体５０に筒部５２を容易に一体成型する観点からは、筒部５２が絶縁体５０の下端面５０ａと同じ位置まで延びていることが好ましい。
【００３１】
以上で説明したように、本実施形態に係る電子機器１０の端子台装置４０においては、絶縁体５０の筒部５２によって、ボルト６２の先端部６２ａとそれに近接する導電性の筐体２０の隆起部２４との間の絶縁距離Ｒ２が、有意に延長されている。したがって、この電子機器１０においては、端子台装置４０の端子締結具を構成するボルト６２と周辺部材である筐体２０の隆起部２４との間の絶縁性の向上が実現されている。
【００３２】
なお、筒部５２は、図示しているような完全な筒状が好ましいが、一部に切り欠きが設けられていてもよい。また、筒部５２は、円筒状に限らず、適宜形状を変更可能である。
【００３３】
なお、上述した実施形態においては、端子締結具としてボルトを例に挙げて本発明の作用および効果を説明しているが、ナットを端子締結具とした場合にも、同様の作用および効果が実現される。すなわち、図７に示すように、ナット６３Ａの先端部６３ａとそれに近接する導電性の筐体２０の隆起部２４との間の絶縁距離は、ナット６３Ａの先端部６３ａからボルト６２の延在方向（Ｚ方向）に沿って延びる絶縁体５０の筒部５２によって、有意に延長される。ナット６３Ａは、図７に示したとおり、ボルト６２の延在方向において貫通されていない袋ナットにすることができる。
【００３４】
また、絶縁体５０の溝部５４により、ボルト６２の先端部６２ａと筐体２０の隆起部２４との間の絶縁距離Ｒ２が効果的に延長されている。溝部５４の内部には、図８に示すように、ボルト６２の延在方向（Ｚ方向）に沿って延びる壁部５６をさらに設けてもよい。この場合、この壁部５６によって、ボルト６２の先端部６２ａと筐体２０の隆起部２４との間の絶縁距離Ｒ２がさらに延長される。
【符号の説明】
【００３５】
１０…電子機器、２０…筐体、２４…隆起部、３０…電子回路、４０…端子台装置、５０…絶縁体、５２…筒部、５４…溝部、５６…壁部、６０、７０…ボルト締結部、６２…ボルト、６２ａ…先端部、６３、６３Ａ…ナット、６３ａ…先端部、６４、６６…端子。
【図１】
2012089414.tif 000003
【図２】
2012089414.tif 000004
【図３】
2012089414.tif 000005
【図４】
2012089414.tif 000006
【図５】
2012089414.tif 000007
【図６】
2012089414.tif 000008
【図７】
2012089414.tif 000009
【図８】
2012089414.tif 000010